【手続補正書】
【提出日】平成30年12月12日(2018.12.12)
【手続補正１】
【補正対象書類名】特許請求の範囲
【補正対象項目名】全文
【補正方法】変更
【補正の内容】
【特許請求の範囲】
【請求項１】
患者インターフェースデバイスクッションのためのカスタムクッション支持アセンブリであって、前記患者インターフェースデバイスクッションは、弾力性の患者インターフェースデバイスクッション本体部を含み、前記患者インターフェースデバイスクッション本体部は、患者の鼻下領域と係合する患者インターフェースデバイスクッション本体部係合部分と、前記患者インターフェースデバイスクッション本体部係合部分の下方に配置されたポケットとを含み、前記患者インターフェースデバイスクッション本体部係合部分は、いくつかの通路を画定し、前記カスタムクッション支持アセンブリは、
カスタムクッション支持アセンブリ本体部上側面を含み、いくつかの通路を画定する、概して平滑なカスタムクッション支持アセンブリ本体部を備え、
前記カスタムクッション支持アセンブリ本体部上側面は、カスタム輪郭を含み、
前記カスタムクッション支持アセンブリ本体部上側面の前記カスタム輪郭は、前記患者の鼻下領域に対応するように前記患者インターフェースデバイスクッション本体部係合部分を変形させる、カスタムクッション支持アセンブリ。
【請求項２】
前記カスタムクッション支持アセンブリ本体部は、実質的な剛体、横方向のヒンジを含む実質的な剛体、又は実質的な準剛体のうちの１つである、請求項１に記載のカスタムクッション支持アセンブリ。
【請求項３】
前記カスタムクッション支持アセンブリ本体部上側面の前記カスタム輪郭は、拡張されたカスタム輪郭である、請求項１に記載のカスタムクッション支持アセンブリ。
【請求項４】
患者インターフェースデバイスクッションのためのカスタムクッション支持アセンブリであって、前記患者インターフェースデバイスクッションは、弾力性の患者インターフェースデバイスクッション本体部を含み、前記患者インターフェースデバイスクッション本体部は、患者の鼻下領域と係合する患者インターフェースデバイスクッション本体部係合部分と、前記患者インターフェースデバイスクッション本体部係合部分の下方に配置されたポケットとを含み、前記患者インターフェースデバイスクッション本体部係合部分は、いくつかの通路を画定し、前記カスタムクッション支持アセンブリは、
カスタムクッション支持アセンブリ本体部上側面を含み、いくつかの通路を画定する、カスタムクッション支持アセンブリ本体部を備え、
前記カスタムクッション支持アセンブリ本体部上側面は、カスタム輪郭を含み、
前記カスタムクッション支持アセンブリ本体部上側面の前記カスタム輪郭は、前記患者の鼻下領域に対応するように前記患者インターフェースデバイスクッション本体部係合部分を変形させ、
前記カスタムクッション支持アセンブリ本体部上側面は、いくつかの鍔部を含み、
各々の前記鍔部は、前記カスタムクッション支持アセンブリ本体部の前記通路の周りに延在し、
各々の前記鍔部は、患者の内側鼻下領域に対応する前記カスタム輪郭を含む、カスタムクッション支持アセンブリ。
【請求項５】
前記カスタムクッション支持アセンブリ本体部上側面の前記カスタム輪郭は、患者の全鼻下領域又は患者の周辺鼻下領域のうちの１つに対応するように前記患者インターフェースデバイスクッション本体部係合部分を変形させる、請求項１に記載のカスタムクッション支持アセンブリ。
【請求項６】
患者の鼻下領域と係合する患者インターフェースデバイスであって、前記患者インターフェースデバイスは、
患者インターフェースデバイス本体部側壁を含む患者インターフェースデバイス本体部であって、前記患者インターフェースデバイス本体部側壁は患者インターフェースデバイス本体部チェンバを画定し、
前記患者インターフェースデバイス本体部側壁は患者インターフェースデバイス本体部側壁上側部を含み、
前記患者インターフェースデバイス本体部側壁上側部は、いくつかの通路を含む、患者インターフェースデバイス本体部と；
弾力性の患者インターフェースデバイスクッション本体部を含むクッションであって、前記患者インターフェースデバイスクッション本体部は、前記患者インターフェースデバイス本体部上に配置され、
前記患者インターフェースデバイスクッション本体部は、患者の鼻下領域と係合する患者インターフェースデバイスクッション本体部係合部分と、前記患者インターフェースデバイスクッション本体部係合部分の下方に配置されたポケットとを含み、
前記患者インターフェースデバイスクッション本体部係合部分は、いくつかの通路を含む、クッションと；
カスタムクッション支持アセンブリ本体部を含むカスタムクッション支持アセンブリであって、
前記カスタムクッション支持アセンブリ本体部は、カスタムクッション支持アセンブリ本体部上側面を含み、いくつかの通路を画定し、
前記カスタムクッション支持アセンブリ本体部上側面は、カスタム輪郭を含み、
前記カスタムクッション支持アセンブリ本体部は、前記カスタムクッション支持アセンブリ本体部の各々の前記通路が、前記患者インターフェースデバイスクッション本体部係合部分の前記通路と整列する状態で、前記患者インターフェースデバイスクッション本体部の前記ポケット内に配置される、カスタムクッション支持アセンブリと；
を備え、
前記カスタムクッション支持アセンブリ本体部上側面の前記カスタム輪郭は、前記患者の鼻下領域に対応するように前記患者インターフェースデバイスクッション本体部係合部分を変形させる、患者インターフェースデバイス。
【請求項７】
前記カスタムクッション支持アセンブリ本体部は、実質的な剛体、横方向のヒンジを含む実質的な剛体、又は実質的な準剛体のうちの１つである、請求項６に記載の患者インターフェースデバイス。
【請求項８】
前記カスタムクッション支持アセンブリ本体部上側面の前記カスタム輪郭は、拡張されたカスタム輪郭である、請求項６に記載の患者インターフェースデバイス。
【請求項９】
前記カスタムクッション支持アセンブリ本体部上側面はいくつかの鍔部を含み、
各々の前記鍔部は、前記カスタムクッション支持アセンブリ本体部の前記通路の周りに延在し、
各々の前記鍔部は、患者の内側鼻下領域に対応する前記カスタム輪郭を含む、請求項６に記載の患者インターフェースデバイス。
【請求項１０】
前記カスタムクッション支持アセンブリ本体部上側面の前記カスタム輪郭は、患者の全鼻下領域又は患者の周辺鼻下領域のうちの１つに対応するように前記患者インターフェースデバイスクッション本体部係合部分を変形させる、請求項６に記載の患者インターフェースデバイス。
【請求項１１】
前記カスタムクッション支持アセンブリ本体部は、カスタムサイズ又は汎用サイズのうちの１つであり、
前記患者インターフェースデバイスクッション本体部の前記ポケットは、カスタムサイズ又は汎用サイズのうちの１つである、請求項６に記載の患者インターフェースデバイス。
【請求項１２】
前記カスタムクッション支持アセンブリ本体部は、前記ポケット内に緊密に嵌合する、請求項６に記載の患者インターフェースデバイス。
【請求項１３】
前記患者インターフェースデバイスクッション本体部係合部分は、織物レイヤと弾力性レイヤとを含み、
前記患者インターフェースデバイスクッション本体部係合部分の前記弾力性レイヤは、前記患者インターフェースデバイス本体部チェンバに隣接して配置され、
前記患者インターフェースデバイスクッション本体部係合部分の前記織物レイヤは、前記患者の鼻下領域と係合する、請求項６に記載の患者インターフェースデバイス。
【請求項１４】
前記患者インターフェースデバイスクッション本体部の前記ポケットは、患者インターフェースデバイスクッション本体部ポケット内側弾力性レイヤを含み、
前記患者インターフェースデバイスクッション本体部ポケット内側弾力性レイヤは、通路を画定する、請求項１３に記載の患者インターフェースデバイス。
【請求項１５】
前記患者インターフェースデバイス本体部は、第１の側方ポートと第２の側方ポートとを含み、
前記患者インターフェースデバイス本体部の前記第１の側方ポート及び前記患者インターフェースデバイス本体部の前記第２の側方ポートは、前記患者インターフェースデバイス本体部チェンバと流体連通する、請求項６に記載の患者インターフェースデバイス。
【請求項１６】
前記カスタムクッション支持アセンブリ本体部は、クッション本体部係合支持部分と周辺部分とを含み、
前記カスタムクッション支持アセンブリ本体部の前記クッション本体部係合支持部分は、前記患者インターフェースデバイスクッション本体部係合部分に結合され、
前記カスタムクッション支持アセンブリ本体部の前記周辺部分は、前記ポケットと係合する、請求項６に記載の患者インターフェースデバイス。
【請求項１７】
前記患者インターフェースデバイス本体部は、鼻ストラップを含む、請求項６に記載の患者インターフェースデバイス。
【請求項１８】
患者の鼻下領域と係合する患者インターフェースデバイスを使用する方法であって、前記患者インターフェースデバイスは、患者インターフェースデバイス本体部と、クッションと、クッション支持アセンブリとを含み、前記患者インターフェースデバイス本体部は、患者インターフェースデバイス本体部側壁を含み、前記患者インターフェースデバイス本体部側壁はチェンバを画定し、前記患者インターフェースデバイス本体部側壁は患者インターフェースデバイス本体部側壁上側部を含み、前記患者インターフェースデバイス本体部側壁上側部はいくつかの通路を含み、前記クッションは弾力性の患者インターフェースデバイスクッション本体部を含み、前記患者インターフェースデバイスクッション本体部は、患者の鼻下領域と係合する患者インターフェースデバイスクッション本体部係合部分と、前記患者インターフェースデバイスクッション本体部係合部分の下方に配置された患者インターフェースデバイスクッション本体部ポケットとを含み、前記患者インターフェースデバイスクッション本体部係合部分はいくつかの通路を含み、前記患者インターフェースデバイスクッション本体部係合部分はいくつかの通路を画定し、前記クッション支持アセンブリはクッション支持アセンブリ本体部を含み、前記クッション支持アセンブリ本体部は、クッション支持アセンブリ本体部上側面を含み、いくつかの通路を画定し、前記クッション支持アセンブリ本体部上側面はカスタム輪郭を含み、前記クッション支持アセンブリ本体部は、前記クッション支持アセンブリ本体部の各々の前記通路が、患者インターフェースデバイスクッション本体部係合部分の前記通路と整列する状態で、前記患者インターフェースデバイスクッション本体部ポケット内に配置され、前記クッション支持アセンブリ本体部上側面の前記カスタム輪郭は、前記患者の鼻下領域に対応するように前記患者インターフェースデバイスクッション本体部係合部分を変形させ、前記方法は、
前記クッション支持アセンブリ本体部を前記患者インターフェースデバイスクッション本体部ポケット内へと挿入するステップと、
前記患者インターフェースデバイス本体部を、前記患者インターフェースデバイスクッション本体部係合部分が前記患者の鼻下領域と対応して係合している状態で、患者の鼻の下方に位置決めするステップと
を備える、方法。
【請求項１９】
前記クッション支持アセンブリ本体部を前記患者インターフェースデバイスクッション本体部ポケット内へと挿入するステップは、前記クッション支持アセンブリ本体部を前記患者インターフェースデバイスクッション本体部ポケット内で、中央に位置決めするステップを含む、請求項１８に記載の方法。